Podtech/llm-jp-corpus-v4-ja_patent huggingface dataset:
(57)【要約】      （修正有）【課題】開口部の内側に、抗菌を施したビニールテープを設けることにより、だれでもが簡単に開けることができる飲料用紙パック容器の提供。【解決手段】飲料用紙パック容器の開口部の内側に抗菌を施したビニールテープを設けることにより、ビニールテープを引っ張ることで、だれでもが簡単に開けられる。【選択図】図２
0003102926.tif 000002
【実用新案登録請求の範囲】
【請求項１】
飲料用紙パック容器の開口部の内側（図２を参照）に抗菌を施したビニール
テープを設ける事により、今までは、開ける時にハサミ又は、指の爪で開けていたものが、今後は、開口部の内側のビニールテープを指で引っ張る事によって、だれでもが簡単に開ける事が出来る事を特徴とする飲料用紙パック容器。
【考案の詳細な説明】
【技術分野】
【０００１】
本考案は、飲料用紙パック容器の開口部の内側（図２を参照）に、抗菌を施したビニールテープを設ける事により、今までは開口時にハサミや指の爪で開けていたものを、開口部の内側にビニールテープを設ける事により、簡単にこどもでもビニールテープを引っ張って開ける事ができるものと考えられる。
【背景技術】
【０００２】
従来のこの種の飲料用紙パック容器については、図１のような物しか現在のところ知られていない。
【考案の開示】
【考案が解決しようとする課題】
【０００３】
従来の飲料用紙パック容器は、開口時に、開口部がのり付けで、開きにくい
ため、ハサミ又は、指の爪で開けなければならず、購入者（消費者）にとつては非常にめ
んどうとなつていた。
【０００４】
容器を開ける時のめんどうくささを無くすため、容器の開口部の内側（図２
を参照）に抗菌を施したビニールテープを設ける事により、こどもはもとよりだれでもがビニールテープを引っ張って簡単に開ける事ができると考えられる。
【課題を解決するための手段】
【０００５】
飲料用紙パック容器の開口部の内側（図２を参照）に抗菌を施したビニーテ
テープを設けることにより、こどもはもとよりだれでもがビニールテープを引
っ張って簡単に開けられるものと考えられる。
【考案の効果】
【０００６】
飲料用紙パック容器の開口部の内側（図２を参照）に抗菌を施したビニー
ルテープを設けることにより、従来はハサミ又は、指の爪で開けていたもの
が今後は、開口部の内側（図２を参照）にビニールテープを設けることによ
りだれでもがビニールテープを引っ張って簡単に開けることが出来るものと
考えられる。
【考案を実施するための最良の形態】
【０００７】
考案実施の形態については、図面を参照して説明をする。
【０００８】
図２においては、飲料用紙パック容器の開口部の内側に抗菌を施したビニー
ルテープを設けることにより、今まで開けにくかつたものが、だれでもがビニ
―ルテープを引っ張って簡単に開けられるようになると考えられる。
【図面の簡単な説明】
【０００９】
【図１】従来の飲料用紙パック容器
【図２】実用新案登録申請の飲料用紙パック容器
【符号の説明】
【００１０】
１    容器の本体
２    開口部
３    開口部内側部分（抗菌を施したビニールテープを設けた部分）
【図１】
0003102926.tif 000003
【図２】
0003102926.tif 000004
(57)【要約】      （修正有）【課題】歯ブラシのブラシ部に押し出したペーストが、歯磨き動作の開始時にブラシ部から落下することを防止する。また、２液分離タイプの新しい歯磨き用ペーストの場合、歯磨き動作により２液が攪拌され反応することによってペーストの効果が急速に低下するため、抽出されたペーストが、最初の歯磨き動作によって一度に反応することを防止し，歯磨き動作完了まで徐々にペーストが攪拌されるようにする。【解決手段】従来の歯ブラシのブラシ部の中央部に、ペースト４を注入できる貫通孔３を設ける。【選択図】図5
0003102922.tif 000002
【実用新案登録請求の範囲】
【請求項１】
歯を磨くために使用する歯ブラシのブラシの部分の中央部に貫通する穴を設けたことを特長とする歯ブラシ。
【考案の詳細な説明】
【考案の詳細な説明】
【考案が解決しようとする課題】
【０００１】  従来、歯を磨くための歯ブラシのブラシの部分には、多少の差があっても、数組にまとめられたブラシの毛が、ブラシの部分のほぼ全面に等間隔に植毛されている。毛の先の並び方や毛の先の形状は多様のものがある。このような歯ブラシを使用する場合、まず歯磨き用のペーストを毛先の上に、やや押し付けながらチューブから必要量を押し出す。このとき下記に列挙する問題を生ずる。
１．  ペーストと毛先の粘着力が十分でない場合、歯ブラシを口に移動する動作の途中で毛先から落下してしまう、という問題がある。
２．  歯ブラシを口に挿入したとき、接触する最初歯に略全量のペーストが付着して、その後、歯を磨く動作に依って、ペーストを塗り伸ばす必要がある。通常のペーストではとくに問題はないが、近年発売され始めた２液分離型のペーストの場合には、ペーストを歯に沿って塗り伸ばす、わずか１乃至２分の時間の攪拌で２液の反応が進み、その後はペーストの歯を補強する効力が急速に低下するようなことが起きる。従って、通常、約３分間の歯磨き動作において、最初に接触した歯の位置で、ペーストの略全量の２液が攪拌され、２液の反応が始まると、最後に磨く歯にペーストが塗り伸ばされたときにはすでに反応が終了して、ペーストの効果を失ってしまう可能性がある、という問題がある。
【課題を解決するための手段】
【０００３】上記のような課題を解決するための手段として、植毛されたブラシの略中央部に、歯ブラシ本体を貫通する孔をあける。従って、ブラシは、従来のブラシの中央部が欠落した状態に植毛される。
【考案の効果】
【０００４】  ブラシの中央部に孔を設けたことに依って、その孔の部分に従来と同量のペーストを注入することができるため、前記の問題の１に述べた、ペーストの落下を防ぐことができる。
【０００５】    また、前記の問題の２に述べた新しいタイプのペーストに対しては、孔の中に注入されたペーストが、最初に接触した歯の歯磨き動作に依っても一度に全量のペーストが攪拌されることが無く、孔の中に注入されたペーストが、最後の歯磨き動作にいたるまで徐々に攪拌され、最後までペーストの効果を持続することが期待される。
【０００６】  ブラシの毛の量は従来よりも減少するが、ブラシの面積が変わらないため、歯磨きの感触や、歯磨きの効果はほとんど変わらない。また、孔の部分に残るペーストの洗浄についても、孔の中を水が容易に通過すため、従来の水洗動作によって十分洗浄され、孔があるため、従来よりも乾燥し易く、歯ブラシを清潔に保つ効果もある。
【図面の簡単な説明】
【図１】  従来の歯ブラシの例の見取り図。
【図２】  従来の歯ブラシのブラシ部に押し出されたペーストの付着例
【図３】  本考案の歯ブラシの見取り図。
【図４】  本考案の歯ブラシのブラシの部分の毛先側から見た平面図。歯ブラシの柄の部分は本考案に含まれないので省略した。
【図５】  本考案の歯ブラシのブラシ部の孔に注入されたペーストの状態を示す、孔の部分の断面図。
【符号の説明】
１  ブラシ部
２  柄
３  ブラシ植毛部の中央部に設けた貫通孔
４  ペースト
【図１】
0003102922.tif 000003
【図２】
0003102922.tif 000004
【図３】
0003102922.tif 000005
【図４】
0003102922.tif 000006
【図５】
0003102922.tif 000007
(57)【要約】      （修正有）【課題】曲面及び屈折面を含む壁面又は扉面等に美観を損なわず安易に設置でき、装置挟持部分によって紙等を掲示する際に紙面及び挟持装置背面を隠蔽することのない、挟持装置本体の撤去時にも設置壁面等に痕跡を残さず安易に撤去できる、紙等を掲示する挟持装置を提供する。【解決手段】曲面及び屈折面を含む壁面又は扉面等に設置できるよう挟持装置本体の材質を薄手のプラスチック板又はアクリル板等として湾曲性をもたせた。又、装置挟持部分によって紙等を掲示する際に紙面及び挟持装置背面を隠蔽することのないよう材料は透明色とし、挟持部分の構造を有色部材は基板と挟持板を点で連結するホッチキス針又はリベット等のみ使用するか、透明色の接着剤等や融着で基板と挟持板を点で連結する、挟持板自体のしなりで紙等をすきまに挟持する簡易な構造とした。【選択図】図１
0003102921.tif 000002
【実用新案登録請求の範囲】
【請求項１】
薄手の透明なプラスチック板又はアクリル板等の湾曲可能な柔軟性をもった材質で作られた基板及び複数の挟持板を、同様の細く透明なプラスチック角材又はアクリル角材等を挟持板の片端に接着して丸くカットされた反対側端に適度な位置で折り目をつけてから重ね合わせて、挟持板が適度なしなりを持つ位置でホッチキス針、接着剤等で両板を点で連結した、両板のすきまに紙等を差し込んで挟持する挟持部分をもった、基板両端の取替えのきく簡易剥離可能な両面テープ等によって曲面及び屈折面を含む壁面又は扉面等に安易に接着固定でき、挟持した紙面及び挟持装置背面を隠蔽することなく紙等を挟持する挟持装置。
【請求項２】
上記請求項１の構造及び特徴を基本とした、薄手の透明なプラスチック板又はアクリル板等の湾曲可能な柔軟性をもった材質で作られた挟持板の上辺を折り曲げて、角材等の代わりに一体構造とした挟持装置。
【請求項３】
上記請求項１、２の構造及び特徴を基本とした、挟持する対象物の形状に対応させるべく、本体形状を変形させた挟持装置。
【請求項４】
上記請求項１、２の構造及び特徴を基本とした、挟持する対象物の寸法および重量に対応させるべく、本体材料の変更又は本体構造の補強を加えた挟持装置。
【考案の詳細な説明】
【考案の詳細な説明】
【技術分野】
【０００１】本考案は、曲面及び屈折面を含む壁面又は扉面等に挟持装置により紙等を掲示する際に、挟持した紙面及び挟持装置背面の隠蔽部分をなくし、同時に挟持装置本体の設置及び撤去を設置箇所の美観を損なうことなく安易に行える挟持装置に関する。
【背景技術】
【０００２】従来から、壁面又は扉面等に紙等を掲示する挟持装置は種々開発されてきたが、曲面及び屈折面に簡易に対応できる装置はほとんど存在せず、又、その多くは装置挟持部分で紙面の一部を隠蔽してしまうと共に、未挟持時ですら挟持装置背面の壁面等を隠蔽してしまう装置ばかりであった。
【考案の開示】
【考案が解決しようとする課題】
【０００３】曲面及び屈折面を含む壁面又は扉面等に美観を損なわず安易に設置でき、装置挟持部分によって紙等を掲示する際に紙面及び挟持装置背面を隠蔽することのない、紙等を掲示する挟持装置を本考案の目的とする。
【課題を解決するための手段】
【０００４】曲面及び屈折面を含む壁面又は扉面等に設置できるよう挟持装置本体の材質を薄手のプラスチック板又はアクリル板等として湾曲可能な柔軟性をもたせた。又、装置挟持部分によって紙等を掲示する際に紙面及び挟持装置背面を隠蔽することのないよう前記材料は透明色とし、挟持部分の構造を、有色部材は基板と挟持板を点で連結するホッチキス針又はリベット等のみ使用するか、透明色の接着剤等や融着で基板と挟持板を点で連結する、挟持板自体のしなりで紙等をすきまに挟持する簡易な構造とした。
【考案の効果】
【０００５】本考案は、湾曲可能な柔軟性をもった薄手の透明なプラスチック板又はアクリル板等の材質で作られた基板及び複数の挟持板を、同様の細く透明なプラスチック角材又はアクリル角材等を挟持板の片端に接着して丸くカットされた反対側端に適度な位置で折り目をつけてから重ね合わせて、挟持板が適度なしなりを持つ位置でホッチキス針、リベット等で両板を点で連結するか接着又は融着により両板を点で連結した、両板のすきまに紙等を差し込んで挟持する挟持部分をもたせ、曲面及び屈折面を含む壁面又は扉面等に美観を損なわず安易に設置でき、挟持部分のすきまに挟持対象物を差し込むだけといった片手でもできる簡易な方法によって実用上問題ない支持力で挟持対象物を挟持し、紙面の挟持部分及び挟持装置背面を隠蔽せずに挟持対象物全面を閲覧できる挟持装置を実現した。
又、基板及び複数の挟持板を薄手の透明なプラスチック板又はアクリル板等の湾曲可能な柔軟性をもった材質で作られた一体構造とした場合も、同様の挟持装置を実現できる。
尚、基板に薄手のプラスチック板又はアクリル板等を使用することにより挟持装置本体を安易に加工切断して任意の基板延長を実現することも可能である。
【考案を実施するための最良の形態】
【０００６】一般家庭及び事務所又は店舗において、一時的に任意の壁面又は扉面等にメモ等及び書類又は伝票類を挟持掲示したい場合において、壁面又は扉面等の形状及び挟持装置撤去後の痕跡を気にすることなく安易に挟持装置を設置でき、未挟持時も挟持装置が透明であるため設置箇所の美観を損ねることがなく、挟持部分のすきまに挟持対象物を差し込むだけといった片手でもできる簡易な方法において、挟持時に紙面の挟持した部分及び挟持装置背面を隠蔽することなく、挟持対象物の紙面全面を閲覧できる。
【実施例１】
【０００７】一般家庭においては、冷蔵庫等の電化製品類や家具類の曲線部を含む側面部に挟持装置を設置することによってメモ類を挟持掲示できる。又、未挟持時も挟持装置が透明であるため設置箇所の美観を損ねない。
【実施例２】
【０００８】事務所等においては、机やＯＡ機器の任意の場所に、必要な長さに自由に切断して固定用両面テープを追加した挟持装置を設置でき、挟持部分のすきまに挟持対象物を差し込むだけの挟持方法のため作業中にも片手で書類の挟持及び抜き外しが簡易に行える。
【実施例３】
【０００９】店舗においては、任意の場所に設置した挟持装置に伝票類などを他の作業中にも片手で脱着できるうえ、挟持装置全体が透明であるため比較的小さな紙片である伝票類も隠蔽される箇所なく紙面全面が閲覧できる。
【産業上の利用可能性】
【００１０】
【図面の簡単な説明】
【００１１】
【図１】  本考案の挟持装置全体を示した平面図である。
【図２】  本考案の挟持部分を示した断面図である。
【図３】  本考案の挟持部分の基盤と挟持板を一体構造とした場合を示した断面図である。
【符号の説明】
【００１２】１  透明な薄手のプラスチック板製又はアクリル板製等の基板
２  透明な薄手のプラスチック板製又はアクリル板製等の挟持板で、差し込み側を丸くカットして適度な位置に折り目を加工
３  本体設置用の固定用両面テープ等を設置する箇所
４  ホッチキス針、リベット、接着又は融着による点連結部
５  挟持板に接着固定する透明なプラスチック角材又はアクリル角材等
６  挟持板を湾曲させた角材等を使用しない場合の湾曲部
【図１】
0003102921.tif 000003
【図２】
0003102921.tif 000004
【図３】
0003102921.tif 000005
(57)【要約】【課題】液浸透印は、印面に含浸された液の揮発やほこりの付着を防止するため、印面に付属の蓋を装着する必要があり、事務処理上、押印の都度、両手で付属の蓋を脱着することは非効率的であり、不便であった。【解決手段】本考案は、液浸透印に付属の蓋を装着することなく、印面を下にして立てた状態で収納、保管する上部開放有底のスタンドにおいて、液浸透印を片手で容易に、かつ迅速に収容したり引き抜くことができるよう、スタンド本体の安定性を向上する目的でスタンド本体の重量を確保し、かつスタンド本体の液浸透印挿入口２ａを上向きのラッパの形状にすることを最も主要な特徴とする液浸透印用スタンドである。【選択図】図１
0003102928.tif 000002
【実用新案登録請求の範囲】
【請求項１】
蓋を装着していない液浸透印を、印面を下にして立てた状態で収納、保管する上部開放有底のスタンドにおいて、スタンド本体の安定性を向上させるための錘を本体に内臓又は高比重の本体部材を採用することによって重量を確保し、かつスタンド本体の液浸透印挿入口を上向きのラッパの形状にすることを特徴とする液浸透印用スタンド。
【考案の詳細な説明】
【技術分野】
【０００１】
本考案は、蓋を装着していない液浸透印を、印面を下にして立てた状態で収納、保管する液浸透印のスタンドの技術に関する。
【背景技術】
【０００２】
液浸透印は、印面に含浸された液の揮発やほこりの付着を防止するため、印面に装着する蓋が付属しており、押印の都度、蓋を脱着する必要がある。
【考案の開示】
【考案が解決しようとする課題】
【０００３】
液浸透印は、使用にあたって印肉を必要としないことから事務の効率上、簡易な認印として事務量の多い職場や繁忙な職場において使用される場合が多い。しかし、液浸透印は印面に含浸された液の揮発やほこりの付着を防止するため、印面に付属の蓋を装着する必要があり、当該使用環境において押印の都度、両手で付属の蓋を脱着することは非効率的であり、不便であった。
【課題を解決するための手段】
【０００４】
本考案は、上記課題を解決するために、液浸透印に付属の蓋を装着することなく、印面を下にして立てた状態で収納、保管する上部開放有底のスタンドにおいて、液浸透印を片手で容易に、かつ迅速に収容したり引き抜くことができるよう、スタンド本体の安定性を向上する目的で錘を本体に内臓又は高比重の本体部材を採用することによって重量を確保し、かつ液浸透印の挿入口の開口面積を液浸透印の印面のサイズに比べ大きくなるよう、液浸透印挿入口を上向きのラッパの形状にすることを最も主要な特徴とする液浸透印用スタンドである。
【考案の効果】
【０００５】
液浸透印を使用の都度、付属の蓋を脱着する手間が省ける上、スタンド本体の液浸透印挿入口を上向きのラッパの形状にすることで、液浸透印の挿入、引き抜きが容易、かつ迅速に行えること顕著であり、事務効率の向上に資する。
【考案を実施するための最良の形態】
【０００６】
以下、本考案の実施の形態を添付図面を参照しながら説明する。
【実施例１】
【０００７】
図１は、本考案の基本的な形状を示す一実施例の断面図である。スタンド本体の安定性を向上するため、液浸透印挿入口上面から下部の外部形状を円錐体とし、本体底部には錘３aを装填している。液浸透印挿入口２aは上向きのラッパの形状になっているため、液浸透印挿入口内に挿入された液浸透印はその自重により液浸透印収納部５aに誘引される仕組みである。
【実施例２】
【０００８】
図３は、図１の実施例の外部形状において、液浸透印挿入口上面端から下部を垂直に切り削った垂直面６を備え、机上で壁面やブックスタンド等に接して置けるよう、収まりを考慮した実施例である。
【実施例３】
【０００９】
図５は、図１の実施例の外部形状において、液浸透印挿入口上面から下部の外部形状を円筒状とし、フック７を取り付けることによリ、壁面、筆立て等に吊り下げる形状とした一実施例である。一応用例として、実施例２の図３の垂直面６の上部にフックを取り付け、スタンド本体の設置に関して万能タイプの形状であってもよい。
【図面の簡単な説明】
【００１０】
【図１】本考案による液浸透印用スタンドの基本的な形状の一実施例を示した縦断面図で、図２のＡ−Ａ断面である。(実施例１)
【図２】図１に示した実施例のスタンド本体の平面図である。
【図３】一応用例として、机上で壁面やブックスタンド等に接して置けるよう、収まりを考慮した実施例を示した縦断面図で、図４のＢ−Ｂ断面である。(実施例２)
【図４】図３に示した実施例のスタンド本体の平面図である。
【図５】一応用例として、壁面や筆立て等に吊り下げる形状の実施例を示した縦断面図で、図６のＣ−Ｃ断面である。(実施例３)
【図６】図５に示した実施例のスタンド本体の平面図である。
【符号の説明】
【００１１】
１ａ、１ｂ、１ｃ  スタンド本体
２ａ、２ｂ、２ｃ  液浸透印挿入口
３ａ、３ｂ、３ｃ  錘
４  液浸透印
５ａ、５ｂ、５ｃ  液浸透印収納部
６  垂直面
７  フック
【図１】
0003102928.tif 000003
【図２】
0003102928.tif 000004
【図３】
0003102928.tif 000005
【図４】
0003102928.tif 000006
【図５】
0003102928.tif 000007
【図６】
0003102928.tif 000008
(57)【要約】【課題】男子小便専用便器がなく洋式便器又は和式便器しかない家庭で、男性が小便をする時、便器に小便をこぼしたり、床に小便を滴下したりして汚さないようにするための小便時の補助具。【解決手段】洋式便器又は和式便器で直立した状態で小便する時、片手で小便排水硬質パイプ１を持ち、挿入口軟質パイプ２の中程まで陰茎を入れ、小便する。小便は挿入口軟質パイプ２の曲面に沿って流れ、小便排水硬質パイプ１へ流れ落ち、便器へ小便が流れ、便器に小便をこぼしたり、床に小便を滴下したりして汚すことがなくなる。【選択図】「図１」
0003102991.tif 000002
【実用新案登録請求の範囲】
【請求項１】
小便排水硬質パイプ１に陰茎挿入口軟質パイプ２を差込み結合した構成からなる小便時の補助具。
【考案の詳細な説明】
【技術分野】
【０００１】  本考案は、男性が小便をする時に放尿飛沫の飛散防止及び残尿の床滴下防止を図るようにした補助具である。
【背景技術】
【０００２】  男子小便専用便器がなく洋式便器又は和式便器しかない家庭で、男性が小便をする時、便器に小便をこぼしたり、床に小便を滴下したりして汚さないようにするのが困難であり、掃除が大変で不衛生であった。
そこで、陰茎の挿入口パイプを本体筒の中間まで差込結合して、本体筒底部に小便排水口を設け、小便排水口から既存便器内へ達する小便排水フレキシブルパイプを設けた構造からなる小便時の補助具が実開平６−４１６００号公報により公知となっている。
しかしながら、挿入口パイプに陰茎を入れ小便をした時に、本体筒の中で小便が跳ね返り、また丹念に水洗いしないと本体筒内壁及びフレキシブルパイプ内壁に小便が残ることが危惧され、それにより不衛生になる懸念がある。
【考案の開示】
【考案が解決しようとする課題】
【０００３】  そこで、本考案は、以上の欠点を解決し、小便を既存便器へ簡単に衛生的に導く補助具を提供することを目的とする。
【考案が解決しようとする手段】
【０００４】  小便排水硬質パイプ１に、陰茎の入る大きさの挿入口軟質パイプ２を差込み結合した構成からなる小便時の補助具である。小便排水硬質パイプ１及び挿入口硬質パイプ２は抗菌加工した樹脂を使用しても良い。
【考案の効果】
【０００５】  挿入口軟質パイプ２から入った小便は、小便排水硬質パイプ１へ流れ落ち、既存便器へ小便が導かれる。これにより、既存便器に小便をこぼしたり、床に小便を滴下したりして汚すことがなくなる。また、小便は挿入口軟質パイプ２の曲面に沿って流れるので跳ね返ることなく、さらに極めて簡単な構造のため水洗いが簡単で小便が残ることが少なく、大変衛生的である。
【考案を実施するための最良の形態】
【０００６】  小便が閉塞せず流れる内径を有する硬質樹脂からなる小便排水硬質パイプ１と、十分に陰茎の入る内径を有する軟質樹脂からなる挿入口軟質パイプ２を差込み結合で取付ける。小便をする時、片手で小便排水硬質パイプ１を持ち、挿入口軟質パイプ２の中程まで陰茎を入れ、小便は挿入口軟質パイプ２の曲面に沿って流れ、小便排水硬質パイプ１へ流れ落ち、既存便器へ小便が流れる。
【実施例】
【０００７】  以下、添付図面に基づいて実施例を説明する。
本考案の小便排水硬質パイプ１の材質は、ポリエチレン、ポリプロピレン及び塩化ビニールなどの熱可塑性硬質樹脂から形成され、図面１に示す長さ４５０ｍｍ、外径１５ｍｍ、内径１３ｍｍのパイプを作る。挿入口軟質パイプ２の材質は、エチレン−プロピレンゴム、エチレン−プロピレン−ジエンゴム、エチレン−１−ブテンゴム、エチレン−酢酸ビニルゴム及びシリコンゴムなどの熱可塑性軟質樹脂から形成され、図面１に示す挿入口の外径５０ｍｍ、内径４８ｍｍ、長さ１００ｍｍの挿入口軟質パイプ２を作る。図面３に示すように、小便排水硬質パイプ１と挿入口軟質パイプ２は差込み結合で取り付ける。小便排水硬質パイプ１及び挿入口硬質パイプ２の材質は抗菌加工処理しておくと良い。【０００８】  なお、挿入口軟質パイプ２の材質が硬質樹脂であると、陰茎を入れた時に、角に接触した場合、陰茎が傷つくことが懸念されるため、軟質樹脂でなければならない。また、小便排水硬質パイプ１の材質が軟質樹脂であると、小便する時、片手で小便排水硬質パイプ１を持った場合、挿入口軟質パイプ２が揺れて陰茎を入れづらくなるため、適度に硬質である硬質樹脂でなければならない。【０００９】  使用方法は、洋式便器又は和式便器で直立した状態で小便する時、片手で小便排水硬質パイプ１を持ち、挿入口軟質パイプ２の中程まで陰茎を入れ、小便する。小便は挿入口軟質パイプ２の曲面に沿って流れ、小便排水硬質パイプ１へ流れ落ち、既存便器へ小便が流れる。使用後は、既存便器の手洗い水ですすぎ洗いすれば良い。
【産業上の利用可能性】
【００１０】  これを使用すれば、既存便器を汚すことがなくなり、掃除の手間がなくなり、大変衛生的である。また、構造が非常に簡単で安価で作れ、産業上の利用可能性大である。
【図面の簡単な説明】
【００１１】
【図１】本考案の斜視図である。
【図２】本考案の正面図である。
【図３】本考案のＡ−Ａ断面図である。
【図４】本考案の平面図である。
【符号の説明】
【００１２】  １  小便排水硬質パイプ
２  挿入口軟質パイプ
【図１】
0003102991.tif 000003
【図２】
0003102991.tif 000004
【図３】
0003102991.tif 000005
【図４】
0003102991.tif 000006
(57)【要約】【課題】従来の金型において、ゴム押し出し機のゴム成形品は金型加工の寸法とゴム成形品の寸法及び鋭角部に誤差が大であった。これの精度向上を提供する。【解決手段】上記のような課題を解決するために、本考案の金型はゴム成形品と同じ金型加工に更に金型の前面部分から後部にかけて精度向上穴を施した。これを施すことにより、ゴム成形品の精度向上が得られる。【選択図】図1
0003102995.tif 000002
【実用新案登録請求の範囲】
【請求項１】
ゴム材料を溶融状態にする装置のゴム押し出し機に装着する金型。
【請求項２】
ゴム押し出し機で成形されるゴム成形品の寸法及び鋭角の精度向上を有する精度向上穴を施した上記請求項1の金型。
【考案の詳細な説明】
【技術分野】
【０００１】
本考案は、例えば自動車のワイパーブレイドあるいはその一部などとして、種々の用途に使用されるでゴム成形品を加工するゴム押し出し機の押し出し口の金型に関するものである。
【背景技術】
【０００２】
図1はゴム押し出し機に装着する金型の例を示している。本金型はゴム押し出し機の押し出し口に装着する。金型はゴム成形品とほぼ同形に加工する。溶融状態のゴム材料はゴム押し出し機によってゴム材料が押し出され、ほぼ金型と同形のゴム成形品が得られる。ゴム成形品の寸法制度、鋭角部は装着の金型加工寸法と大きく誤差を生じていた。
【考案の開示】
【考案が解決しようとする課題】
【０００３】
前記従来の金型では、金型寸法とほぼ同形のゴム成形品が得られていた。ゴム押し出し機によるゴム成形品の寸法及び鋭角の精度は金型加工寸法と誤差が大きく生じていた。特にゴム押し出し機でのゴム成形品は鋭角部分を得ることに欠けるという課題を有していた。
【課題を解決するための手段】
【０００４】
上記のような課題を解決するために、本考案の金型は、ゴム成形品と同じ金型加工に更に金型の前面部分から後部にかけて精度向上穴1を施した。これを施すことにより、ゴム押し出し機で溶融状態のゴム材料に加わった圧力が調整され、金型加工寸法と押し出されるゴム成形品との寸法精度の誤差が少なく、要求する鋭角部が得られる。
【考案の効果】
【０００５】
本考案の金型は、ゴム押し出し機の装置に装着されて、金型加工寸法とゴム成形品の寸法誤差は少なくなった。本実施例ではゴム成形品ｄの鋭角部３が最も寸法精度及び鋭角を要求する部分である。本考案の金型加工は精度を要求する鋭角部３の場所に当たる金型に精度向上穴を施し、金型と寸法誤差の少ないゴム成形品を得るものである。
【考案を実施するための最良の形態】
【０００６】
ゴム成形品の寸法精度及び鋭角を得るという目的を、金型の加工形態、及びゴム押し出し機の機械の調整を最小にして、金型と寸法誤差の少ないゴム成形品を実現した。
【実施例】
【０００７】
本考案を実施例により説明する。図１は実施例の金型の斜視図であり、金型の大きさは直径約３０ｍｍ、長さ約３０ｍｍ、ゴム材料の入り口部分にあたるストッパー部分は厚さ約５ｍｍ、直径約４０ｍｍである。図３はゴム成形品の断面を示している。本実施例の金型はゴム押し出し機の装置に装着され、装置の出口部分の位置に固定される。ゴム成形品ｄの鋭角部3は、鋭角部４及び鋭角部５より寸法精度及び鋭角が高く要求される部分である。本金型ａの精度向上穴1は、溶融状態のゴム材料の入り口部分に当たる。入り口部分の穴はある程度大きく、徐々に出口に向かって小さくする。本実施例では、精度向上穴の大きさは約５ｍｍとした。精度向上は寸法で約10％、鋭角部3は約1Ｒから約0.5Ｒに改善された。精度向上穴は図1の精度向上穴1の点線で示す部分にあたる。金型加工の出口面はゴム成形品と同じ加工面となり、精度向上穴は目視で見えない。
【産業上の利用可能性】
【０００８】
ゴム押し出し機の装置のように、溶融状態の材料に圧力が加わって成形品を加工する場合、よりよい寸法精度及び鋭角部を得るための一般的な金型加工に適用できる。
【図面の簡単な説明】
【０００９】
【図１】本考案の実施例である金型の斜視図である。
【図２】本考案の実施例であるゴム成形品の断面図である。
【図３】本考案の実施例である金型の正面図（ａ）、側面図（ｂ）である。
【符号の説明】
【００１０】
1・・・・・・金型の精度向上穴
2・・・・・・金型の加工穴
3・・・・・・ゴム成形品の鋭角部
4・・・・・・ゴム成形品の鋭角部
5・・・・・・ゴム成形品の鋭角部
a・・・・・・金型の斜視図
b・・・・・・金型の正面図
c・・・・・・金型の側面図
d・・・・・・ゴム成形品の断面図
【図１】
0003102995.tif 000003
【図２】
0003102995.tif 000004
【図３】
0003102995.tif 000005
【手続補正書】
【提出日】平成16年3月22日(2004.3.22)
【手続補正１】
【補正対象書類名】実用新案登録請求の範囲
【補正対象項目名】全文
【補正方法】変更
【補正の内容】
【実用新案登録請求の範囲】
【請求項１】
円筒状の金型の出入り口に沿って円錐状に精度向上穴を施してなるゴム成形用金型。
【請求項２】
精度向上穴は円錐状態で、穴は貫通せず、溶融ゴムの入り口面は出口面より大になっている精度向上穴であるところの請求項1記載のゴム押し出し機用金型。
【手続補正２】
【補正対象書類名】明細書
【補正対象項目名】０００１
【補正方法】変更
【補正の内容】
【０００１】
本考案は、例えば自動車のワイパーブレイドあるいはその一部などとして、種々の用途に使用されるゴム成形品を加工するゴム押し出し機の押し出し口の金型に関するものである。
(57)【要約】      （修正有）【課題】車両用燃料タンク内に配置される金属製の旋回槽において、いかなる形状の燃料タンクにおいても、フュエールゲージユニット取付穴を使って後から挿入するという簡便な方法で装着できる構造とする。【解決手段】旋回槽は上部環形板３、と胴体部分を形成する左右一対の壁面板４と５凹状底板６の４つの部材により構成されている。各部材は、接合片７をそれぞれ嵌合して組み立てる構成となっている、フュエールゲージユニットを該旋回槽に挿入して、フュエールゲージユニット取付穴の蓋で旋回槽を押さえる事で、旋回槽自体の固定も完了する。【選択図】図１
0003102992.tif 000002
【実用新案登録請求の範囲】
【請求項１】
車両用の燃料タンクの内部に収容配置される金属製の旋回槽であって、車両用燃料タンクに形成されたフュエールゲージユニット取付穴から挿入できる大きさに分解でき、車両用燃料タンク内部で組み立てることができる構造としたことを特徴とする車両用燃料タンクの旋回槽。
【考案の詳細な説明】
【技術分野】
【０００１】  本考案は車両用燃料タンクの金属製旋回槽に関するものである。
【背景技術】
【０００２】  従来車両用燃料タンクの旋回槽は、燃料タンク本体製造時に内部に配置されていた。【０００３】  また樹脂製の旋回槽などは、折りたたんでフェールゲージユニット取付穴から挿入し燃料タンク内部に設置していた。
【特許文献１】特開平１１−１１１６６号公報
【０００４】  しかし、上記の如き車両製造時に設置された旋回槽では、燃料タンク内の燃料残量が少なく車両が旋回し長時間にわたってタンク内の燃料が片寄ると、旋回槽の容量が不足し安定してエンジンに燃料が供給できないことがあり、その場合モータースポーツなどで使用する車両は通常、燃料タンク外に小さめのコレクタータンクと言われる補助タンクを設置していた。【０００５】  しかし、前記の如きコレクタータンクと言われる補助タンクだと、燃料タンク外に設置する為車内がガソリン臭くなったり、別に専用のポンプも必用となる為費用も大変高価な物であった。
【考案の開示】
【考案が解決しようとする課題】
【０００６】  本考案は前記従来技術の問題点を鑑がみなされたもので、いかなる形状の燃料タンクにおいても簡便な方法で装着出来る旋回槽を提供することを目的としたものである。
【課題を解決するための手段】
【０００７】  本考案は車両用燃料タンク内部に設置する金属製旋回槽であって、フューエルゲージユニット取付穴から挿入できる大きさに分解し、車両用燃料タンク内部で組み立て可能に形成されていることを特徴としている。
【考案の効果】
【０００８】  したがって、本考案の旋回槽はそのままの大きさでは車両用燃料タンクのフュエールゲージユニット取付穴から内部に挿入できない大きさであったとしても、金属製の分解組み立て式としたことで、前記フュエールゲージユニット取付穴からの挿入が可能となり、また車両用燃料タンク内部で組み立てることで旋回槽としての必要な機能が得られる。【０００９】  また、金属製の旋回槽が分解組み立て式に形成されているため、樹脂製旋回槽の様に成型用の型等が必要なく、少量多種の生産が可能になり様々な車種に展開できる。
【考案を実施するための最良の形態】
【００１０】  以下、本考案の実施形態を図面と共に詳述する。【００１１】  図１において（１）は金属製で箱型形状に形成された旋回槽で、上部が開口した有底形状でありフラップ付き燃料取り入れ口（２）が下側側壁に設けてある。【００１２】  前記旋回槽は図２に示すように、上部環形板（３）と胴体部分を形成する左右一対の壁面板（４）と（５）凹状底板（６）の４つの部材により構成されている。各部材は、接合片（７）をそれぞれ嵌合して組み立てる構成となっている、図示しないがフュエールゲージユニットを該旋回槽に挿入して、同じく図示しないフュエールゲージユニット取付穴の蓋で旋回槽を押さえる事で、旋回槽自体の固定も完了する。【００１３】  また該旋回槽を図３に示すように車両用燃料タンク（８）内部に設置するには、まず凹状底板（６）をフュエールゲージユニット取付穴（９）より内部に挿入し、次に壁面版（４）と（５）をフュエールゲージユニット取り付け穴（９）より挿入し接合片（７）をそれぞれ嵌合し凹状底板（６）上に設置し、最後に環形板（３）を挿入し壁面（４）と（５）の上部に勘合し旋回槽の機能を発揮する。
【図面の簡単な説明】
【図１】は、本考案の概要を示す図で旋回槽の組み立て状態での斜視図。
【図２】は、旋回槽の分解状態での斜視図。
【図３】は、旋回槽を備えた車両用ガソリンタンクの概略斜視図。
【符号の説明】
１．  旋回槽
２．  燃料取入れ口
３．  環形板
４．  壁面板
５．  壁面板
６．  凹状底板
７．  接合片
８．  車両用燃料タンク
９．  フューエルゲージユニット取り付け穴
【図１】
0003102992.tif 000003
【図２】
0003102992.tif 000004
【図３】
0003102992.tif 000005
(57)【要約】【課題】  従来のペットボトル等の蓋は、確実なホールドが困難で開閉には強い力が必要である。【解決手段】  円柱型の蓋の外側にオーバルな形状を付加し、手で確実にホールド出来るようにするとともに、蓋本体である円形部とホールド部分であるオーバル形部の中心から力点までの長さａとｂの違いを有効に利用して力学的に開閉しやすくする。【選択図】図１
0003102943.tif 000002
【実用新案登録請求の範囲】
【請求項１】
ペットボトル等の円柱型の蓋の外側をオーバル型にし、ホールドしやすい形状及び円形とオーバル形の中心から力点までの長さの違いを有効に利用して力学的に開閉しやすくしたオーバル型の蓋。
【考案の詳細な説明】
【考案の詳細な説明】
【技術分野】
【０００１】  本考案は、手でホールドしやすい形と、円形とオーバル形の中心から力点までの長さの違いを利用して、力学的に開閉を容易にしたペットボトル等の蓋に関するものである。
【背景技術】
【０００２】  従来のペットボトル等の蓋は円柱型で、側面に滑り止めのための縦溝を設けてあるものもある。【０００３】  多角形や側面の一部に突起を設けた蓋もあるが、何れもホールドしにくく、中心から力点までの長さの違いを有効に利用して力学的に開閉を容易にしたものとは言えないものである。
【考案が解決しようとする課題】
【０００４】  従来のペットボトル等の蓋は、確実なホールドが困難で開閉には強い力が必要である。
【０００５】  特に女性や子供、高齢者では力を必要とする最初の開蓋作業並びに閉蓋時の最後の締め作業が困難なものである。
【課題を解決するための手段】
【０００６】  本考案は前記課題を解決するため、円柱型の蓋の外側にオーバルな形状を付加し、手で確実にホールド出来るようにするとともに、円形とオーバル形の中心から力点までの長さの違いを利用して力学的に開閉しやすくする。
【実施例】
【０００７】  ペットボトル等に本考案のオーバル型の蓋を用いれば、手で確実にホールドでき滑ることもなく開閉蓋作業を容易に行うことができる。【０００８】  また、蓋本体である円形部とホールド部分であるオーバル形部の中心から力点までの長さの違いにより弱い力でも容易に開閉蓋ができる。
【考案の効果】
【０００９】  本考案のオーバル型の蓋は、オーバル型であることから手で確実にホールドしやすく、また円形とオーバル形の中心から力点までの長さの違いにより弱い力でも容易にペットボトル等の蓋の開閉ができる効果がある。
【図面の簡単な説明】
【００１０】
【図１】  本考案のオーバル型の蓋の下面斜視図である。
【図２】  本考案のオーバル型の蓋の上面図である。
【図３】  本考案のオーバル型の蓋の上面斜視図である。
【図４】  本校案のオーバル型の蓋の上面斜視断面図である。
【符号の説明】
ａ  円形部の中心から力点までの長さ
ｂ  オーバル形部の中心から力点までの長さ
【図１】
0003102943.tif 000003
【図２】
0003102943.tif 000004
【図３】
0003102943.tif 000005
【図４】
0003102943.tif 000006
(57)【要約】      （修正有）【課題】釣竿を使用中に、ジンバルから抜け落ちないゴムキャップとジンバルを提供する。【解決手段】ジンバルとそれに被せるゴムキャップは、ジンバルの外周にＡのような溝を設け、ゴムキャップ内部の内周にＣのようなヒダを設けた。【選択図】図１
0003102947.tif 000002
【実用新案登録請求の範囲】
【請求項１】
ジンバルの外周に溝を有するジンバル
【請求項２】
ゴムキャップ内部にヒダを有するゴムキャップ
【考案の詳細な説明】
【考案の詳細な説明】
【技術分野】
【０００１】  本考案は釣り人が魚を釣り上げる時や、ルアーで魚を誘う時に使用する、釣竿の最後部にあるジンバルと、それに被せるゴムキャップに関するもので、釣具に係るものである。
【背景技術】
【０００２】  ジンバルは、ジンバルが不要な時にゴムキャップをはめて使用したり、保管したりするが、従来のゴムキャップの内部は、図Ｄのように、はめたり抜いたりしやすいように縦線が付いているか、何もついていないので、従来のジンバルから抜けやすく、ルアーを投げる拍子に抜けてしまうなど、使用している最中に抜けてしまうことがある。【０００３】  また、従来のゴムキャップはジンバルにピッタリはまるように出来ているので、予め油などを塗布しなければ、ジンバルにはめることが困難であった。そのことがジンバルからゴムキャップが抜けてしまう要因に拍車をかけている。
【考案が解決しようとする課題】
【０００４】  ジンバルを使用しない時に被せるゴムキャップが、ルアーを投げた拍子に抜けてしまうなど、使用している時にぬけてしまう問題を有していた。
【０００５】  本考案は、従来の技術の有するこの様な問題点に鑑みてなされたものであり、その目的とするところは、釣竿の使用中にジンバルから抜けてしまわないゴムキャップとジンバルを提供しようとするものである。
【課題を解決するための手段】
【０００６】    上記目的を達成するために、本考案におけるジンバルとそれに被せるゴムキャップは、ジンバルの外周にＡのような溝を設け、ゴムキャップ内部の内周にＣのようなヒダを設けた。
【考案を実施するための最良の形態】
【０００７】  本考案のゴムキャップの挿入口Ｂから本考案のジンバルをはめようとする時、本考案のゴムキャップの横ヒダＣの角度が鋭角になっているので、ジンバルにはめやすくなっている。また、逆にジンバルからゴムキャップを抜く時には、本考案のゴ厶キャップのヒダＣの角度が鈍角になっており、また本考案のジンバルには横溝が設けてあるので、それに横ヒダが引っ掛かって抜けずらい。
【考案の効果】
【０００８】  本考案のジンバルとゴムキャプを使用することにより、釣り人はルアーを投げる時に、ゴムキャップが抜けてしまう心配をしないで思い切り投げることが出来るので、釣果が上がる。また、知らない間にゴムキャップを紛失してしまう心配がない。
【図面の簡単な説明】
【図１】本考案のジンバルの正面図である。
【図２】本考案のジンバルの右側面図である。
【図３】本考案のジンバルの平面図である。
【図４】本考案のジンバルの底面図である。
【図５】従来品のジンバルの正面図である。
【図６】本考案のゴムキャップの正面図である。
【図７】本考案のゴムキャップの右側面図である。
【図８】本考案のゴムキャップの平面図である。
【図９】本考案のゴムキャップの底面図である。
【図１０】本考案のゴムキャップの断面図である。
【図１１】従来品のゴムキャップの断面図である。
【符号の説明】
Ａ  本考案のジンバルの溝
Ｂ  本考案のゴムキャップのギンバル挿入口
Ｃ  本考案のゴムキャップのヒダ
Ｄ  従来品のゴムキャップの縦線
Ｅ  切断線
【図１】
0003102947.tif 000003
【図２】
0003102947.tif 000004
【図３】
0003102947.tif 000005
【図４】
0003102947.tif 000006
【図５】
0003102947.tif 000007
【図６】
0003102947.tif 000008
【図７】
0003102947.tif 000009
【図８】
0003102947.tif 000010
【図９】
0003102947.tif 000011
【図１０】
0003102947.tif 000012
【図１１】
0003102947.tif 000013
【手続補正書】
【提出日】平成15年11月4日(2003.11.4)
【手続補正１】
【補正対象書類名】実用新案登録請求の範囲
【補正対象項目名】全文
【補正方法】変更
【補正の内容】
【実用新案登録請求の範囲】
【請求項１】
請求項２に記載されたゴムキャップと共に使用されるジンバルであって、外周に溝Ａを有するジンバル
【請求項２】
請求項１に記載されたジンバルと共に使用されるゴムキャップであって、内部に複数のヒダＣを有するゴムキャップ
【手続補正書】
【提出日】平成16年1月26日(2004.1.26)
【手続補正１】
【補正対象書類名】実用新案登録請求の範囲
【補正対象項目名】全文
【補正方法】変更
【補正の内容】
【実用新案登録請求の範囲】
【請求項１】
ゴムキャップと共に使用されるジンバルであって、外周に溝Ａを有するジンバル
【請求項２】
請求項１に記載されたジンバルと共に使用されるゴムキャップであって、内部に複数のヒダＣを有するゴムキャップ
(57)【要約】      （修正有）【課題】コストパフオーマンスを発揮する焼却炉を、余裕を持って余分に保存する。電話一本で各地域ターミナルに移動し、野焼きなどのダイオキシン・駆逐対策を実行する。【解決手段】鉄道、車両作成工場の内部・利用する。企業内等に引込み線を引き入れる時は、貨物車に焼却ゴミを積んで置き、貨車から貨車へのサイド焼却出来る準備をしておく。焼却炉の貸車廃棄物投入口へは両サイド、又押機プッシャー（自動送り装置）を連結部も利用して投入すると良いが、ブルトーザーも使用する。【選択図】図１
0003102949.tif 000002
【実用新案登録請求の範囲】
【請求項１】
焼却炉及び、小規模処理施設を車両に乗せ、ＪＲ鉄道線路を使用して、電話一本で運送・焼却・等・ターミナルで焼却と移動処理を行う。
【考案の詳細な説明】
【考案の詳細な説明】
その原理はケマドーラ西村  武  鉄工所会長開発。「炉心」の大きさを合わし、無蓋貨車にセット出来る。会長もハッキリとセットできると発言している。
完全燃焼し、千度を超えるとダイオキシン等もほとんど焼却出来る。
今後・将来・更に効率アップ機種出現の場合は、変更もあり得る。
【考案に属する技術分野】
ケマドーラは燃焼時・煙は出ないし、廃煙の調節も出来る。
火をつけてゴミを焼却するので、完全消火してから移動さす。
各ターミナルには、風・雨を遮る遮蔽が必要になってくるが、チョつとした事務所など宿直室も有るとよい。
【背景技術】元々焼却炉などというと大きくて、焼却場など動かせるようなものなど無いし、焼却能力の素晴らしいケマドーラ誕生によって、こそ始まるわけです。
【考案が解決しようとする課題】
コストパフオーマンスを発揮する焼却炉を、余裕を持って余分に保存。電話一本で各地域ターミナルに移動し、野焼きなどのダイオキシン・駆逐対策を、世界に先駆けて先ず日本から実行し、日本の景気を良くする。
【課題を解決するための手段】
ＪＲ  車両作成工場の内部・利用すべきだ。
企業内等に引込み線を引き入れる時は、貨物車に焼却ゴミを積んで置き、貨車から貨車へのサイド焼却出来る準備をしておく。
【実旋の形態】
従来の大型焼却施設は、規制値は低く設定してあっても、ダイオキシン等、の排出量が多く、酸素の含融量の少ない空気中のガスが、狭い範囲の住民に降りかかることにより、特定の住民が被害に会うのを、小規模焼却炉が防ぎます。
【実践例】
焼却炉の貨車廃棄物投入口へは両サイド、又は押機プッシャー（自動送り装置）を連結部も利用して投入すると良いが、ブルトーザーも使用する。
（ア）  引込み線付き作業所『本拠地』・約２反歩、６００坪弱。
（イ）  事務所と炊事場・飯場付き宿直室・洗濯場。
（ウ）  トイレと化粧室・風呂・排水・ＶＵ１００配管。
（エ）  給湯．給水配管はプッシュロック２・ヘッダー工法で。
（オ）  貨車焼却炉の方向変換ロータリー。
（カ）  軽量移動用の手押しトロッコ・とモーター付き台車・
（キ）  起重機付き普通トラックと、小物運搬用小型トラック。
（ク）  重量制限も必要・計量場に押していって目方を量る。
（ケ）  ＴＥＬ．ＦＡＸ  ＲＡＮコンピユータ    インターネット。
（コ）  ターミナルは簡単なものでよい。先方で構えてもらうと良い。
【考案の効果】
焼却処理場への運搬費用・高騰と、混雑時間の解消が期待できる。ＪＲ貨車移動焼却炉で焼却のために、専門のターミナル焼却場必要。（国会議員さんの出番）中規模事業所程度のＪＲ職場復活。完全燃焼のノウハウを備えた焼却炉は、日本国中どころか、海を渡って外国もターゲットにしよう。
【図面の簡単な説明】１  ケマドーラ２１に限らず（又はＭＳＫ−ＴＳ型）小規模焼却処理施設をそっくり無蓋貨車に乗せる様に作成する。。
２  貨車を工場内部などの線路上に点在させて固定し、貨車上で燃焼炉の大量生産を試みる。外観まで完成後試運転。    ：１９０ｋｇ／時間。
ダイオキシン測定。【図１】  平面配置図
【図２】  側面配置図
【図１】
0003102949.tif 000003
【図２】
0003102949.tif 000004
【手続補正書】
【提出日】平成15年11月22日(2003.11.22)
【手続補正１】
【補正対象書類名】実用新案登録請求の範囲
【補正対象項目名】全文
【補正方法】変更
【補正の内容】
【実用新案登録請求の範囲】
【請求項１】
焼却炉及び、小規模処理施設  とは、選択図  の斜視図明記の通り、焼却炉の一部分で  焼却灰回収装置  煤塵貯留室、要約書、振動目地割れ防止材（クッションパッキンのこと）を車輌に乗せ、鉄道線路を使用して、車両鉄骨内部に  実践例  の（キ）起重機付きで、嵌込脱着  出来る貨車車輌焼却炉
【手続補正書】
【提出日】平成16年2月15日(2004.2.15)
【手続補正１】
【補正対象書類名】実用新案登録請求の範囲
【補正対象項目名】全文
【補正方法】変更
【補正の内容】
【実用新案登録請求の範囲】
【請求項１】
鉄道線路上を移動可能な車輌に焼却炉を乗せてなる貨車焼却炉
(57)【要約】      （修正有）【課題】本考案は身障者や高齢者・病人など寝たきり状態における人において水分不足により脱水症状や血液の流れが悪くなり病気を引き起こしやすくなるため水分の補給を多くの場合介護者が楽呑器などにより行ないますがその介護者が高齢化などにより摂取量を忘れ、１日の水分摂取量を主治医に伝ることが出来ない。【解決手段】身障者や高齢者・病人など寝たきり状態における人が１日に摂取した水分の量を知るために介護者は加算棒５を摂取分だけ容量加算俸袋７から容量袋１０に移動することにより１日の水分摂取量を知ることを特徴とする介護用水分摂取加算板に係わるものである。【選択図】図１
0003102941.tif 000002
【実用新案登録請求の範囲】
【請求項１】
身障者や高齢者・病人など寝たきり状態における人が１日に摂取した水分の量を知るために介護者は基本板１に備えられた容量加算俸袋７から加算棒５を基本板１に備えれらた容量袋１０に移動することにより摂取量を知ることを特徴とする介護用水分摂取加算板
【請求項２】
請求項１の容量袋１０に加算棒が入りやすくするため入れ口曲げ線６は１５度から６０度に角度をつけ曲げることを特徴とする請求項１記載の介護用水分摂取加算板
【請求項３】
請求項１の容量袋に入った加算棒が容易に抜け落ちないように保持折り曲げ線８により隙間を減らすことを特徴とする請求項１および請求項２記載の介護用水分摂取加算板
【考案の詳細な説明】
【技術分野】
【０００１】  本考案は身障者や高齢者・病人など寝たきり状態における人に水分を介護者が与える場合、１日に与えた量を忘れないようにする介護用水分摂取加算板に関するものである。
【背景技術】１日の水分摂取量を記憶したり紙に正の字を書いたり在宅介護連絡ノートなどにより水分の摂取量を記録していた。
【特許文献１】特許第３２４５５９３号（Ｐ３２４５５９３）
【考案の開示】
【考案が解決しようとする課題】
【０００２】  本考案は身障者や高齢者・病人など寝たきり状態における人において水分不足により脱水症状や血液の流れが悪くなり病気を引き起こしやすくなるため水分の補給を多くの場合介護者が楽呑器などにより行ないますがその介護者が高齢化などにより摂取量を忘れ、１日の水分摂取量を主治医に伝ることが出来ない。
【課題を解決するための手段】
【０００３】  身障者や高齢者・病人など寝たきり状態における人が１日に摂取した水分の量を知るために介護者は加算棒５を摂取分だけ容量加算俸袋７から容量袋１０に移動することにより１日の水分摂取量を知ることを特徴とする介護用水分摂取加算板に係わるものである。
【考案の効果】
【０００４】  本考案において開示される考案のうち代表的なものによって得られる効果を簡単に説明すれば、下記のとうりである。すなわち、本考案によれば、看護人・介護者及び家族間で利用することにより水分の摂取量の忘れを未然に防止する効果がある。
【考案を実施するための最良の形態】
【０００５】添付図面を参照して本考案の要旨を説明する。【０００６】  基本板１に備えられた容量表示袋３に摂取する水分量を事前に表示容量カード２を入れる。容量加算俸袋７から加算棒５を取り出し摂取水分の量の容量袋へ加算棒４を入れる、例えば１００ｃｃの水分を摂取した場合加算棒５を容量袋に加算棒４のように入れる。【０００７】  容量袋に加算棒４を入れる場合、加算棒４が入りやすくするため入れ口曲げ線６は１５度から６０度に角度をつけて挿入を助けその角度は隙間台１１により決まる。【０００８】  容量袋に加算棒４が入った状態で加算棒４が容易に抜け落ちないように保持折り曲げ８により隙間を減らし加算棒４の保持を助けその隙間は隙間台１１により決まる。【０００９】  １日の水分摂取量を求めたいときに容量袋に入ったそれぞれの加算棒４の数を表示容量カード２で表示された容量に掛算しその和をもって水分摂取量を知ることが出来る。【００１０】  容量袋にある加算棒４を容量加算俸袋７へ移動させれば新たな水分の摂取量を知ることができる。【００１１】  容量に合わせ表示容量カード２を差し替えることによりその摂取する表示容量を変えることができるたことを特徴とする介護用水分摂取加算板に係るものである。【００１２】  以上本考案によってなされた考案を具体的に説明したが、本考案は上記説明に限定されるものでなく、その要旨を逸脱しない範囲で種々変更可能であることは言うまでもない。
【図面の簡単な説明】
【図１】本考案に係る介護用水分摂取加算板の実施例を示す平面図である。
【図２】図１の断面図である。
【図３】図１の側面傾斜図である。
【符号の説明】
（１）・基本板                              （２）・表示容量カード
（３）・容量表示袋                          （４）・加算棒４
（５）・加算棒５                            （６）・入れ口曲げ線
（７）・容量加算棒袋                        （８）・保持折り曲げ線
（９）・切断線                              （１０）・容量袋
（１１）・隙間台
【図１】
0003102941.tif 000003
【図２】
0003102941.tif 000004
【図３】
0003102941.tif 000005